(57)【要約】【課題】携帯型無線通信装置において、非通信時に表示手段に表示された情報を素早く簡単に得られるようにする。【解決手段】第１の筐体１及び第２の筐体６を開き、次いで、第２の筐体６を裏返して閉じる。この状態でディスプレイ７に表示された情報を閲覧したり、スクロールキー３で操作する。従って、ディスプレイ７を外部に表示させた状態で携帯し、第１の筐体１及び第２の筐体７を開くことなく、ディスプレイ７を素早く閲覧及び操作する。【選択図】図６
2007014024.tif 000002
【特許請求の範囲】
【請求項１】
少なくともいずれか一方が表示手段を有する一対の筐体と、これら一対の筐体を開閉自在に接続しかつ前記一対の筐体を開いた状態で相対的に回転自在であると共に前記一対の筐体のいずれか一方の筐体を裏返して閉じ得るように支持するヒンジ部とを具備することを特徴とする携帯型無線通信装置。
【請求項２】
ヒンジ部が、ボールジョイントで構成されていることを特徴とする請求項１に記載の携帯型無線通信装置。
【請求項３】
表示手段に対して操作するスクロールキーが、一対の筐体の少なくともいずれか一方に設けられ、このスクロールキーが、一対の筐体がいかなる状態においても外部に露出していることを特徴とする請求項１又は請求項２に記載の携帯型無線通信装置。
【請求項４】
少なくともいずれか一方が表示手段を有する一対の筐体と、これらの一対の筐体を開閉自在に接続し、前記表示手段を有する筐体を内側を向けて閉じた第１の姿勢及び前記表示手段を有する筐体を外側を向けて閉じた第２の姿勢をとるように接続する接続部とを具備することを特徴とする携帯型無線通信装置。
【発明の詳細な説明】
【技術分野】
【０００１】
本発明は、携帯電話やＰＨＳ等の携帯型無線通信装置に関し、特に二つ折り型の携帯型無線通信装置に関する。
【背景技術】
【０００２】
従来の携帯電話やＰＨＳ等の携帯型無線通信装置においては、ＬＣＤ等のディスプレイを設けている。特に、二つ折り型のものでは、テンキーが配列された操作部及びディスプレイが設けられた表示部をヒンジ部で開閉自在に接続している。このような構成により、非通話時には、操作部及び表示部を二つ折りにして重ねあわせている。このとき、一般的には、ディスプレイは内側になっているので外部から見えない。一方、通話時には、操作部及び表示部を開いてディスプレイを外部に露出させている。
【発明の開示】
【発明が解決しようとする課題】
【０００３】
近年、携帯型無線通信装置においては、ディスプレイに、例えば、年月日、時間、曜日、受信状況、着信有無、相手先電話番号、相手先氏名、メモ等の各種情報を表示することが行われている。また、近年、携帯型無線通信装置では、スケジュール機能、メモ機能、インターネットブラウズ機能、簡易メール機能及び電子メール機能を持ったものが開発されている。このような装置では、非通話時にもディスプレイに表示された情報を閲覧する場合もある。
【０００４】
従来の二つ折り型の携帯型無線通信装置では、上述のように非通話時にディスプレイの表示情報を閲覧したい場合にも、通話時と同様に、必ず操作部及び表示部を展開し、ディスプレイを外部に露出させる必要がある。このため、必要な情報を見るまでに手間がかかってしまう。
【０００５】
本発明は、かかる点に鑑みてなされたものであり、非通話時にもディスプレイの表示が見やすい二つ折り型の携帯型無線通信装置を提供することを目的とする。
【課題を解決するための手段】
【０００６】
本発明の携帯型無線通信装置は、少なくともいずれか一方が表示手段を有する一対の筐体と、これら一対の筐体を開閉自在に接続しかつ前記一対の筐体を開いた状態で相対的に回転自在であると共に前記一対の筐体のいずれか一方の筐体を裏返して閉じ得るように支持するヒンジ部とを具備する構成を採る。
【発明の効果】
【０００７】
本発明によれば、携帯型無線通信装置において、非通信時に表示手段に表示された情報を素早く簡単に得ることができる。
【発明を実施するための最良の形態】
【０００８】
以下、本発明の一実施の形態について、図面を用いて詳細に説明する。
【０００９】
図１は、本発明の一実施の形態における携帯型無線通信装置の開いた状態の平面図である。図２は、上記実施の形態における携帯型無線通信装置の開いた状態の側面図である。
【００１０】
図中１は、装置本体を構成する第１筐体である。第１筐体１は、片手で持ちやすい大きさの略直方形状を有している。この第１筐体１には、テンキーが配列されたテンキー領域２が設けられている。テンキーは、押しやすいように第１筐体１の前面（以下、操作面という）から隆起した形状を有するように形成されている。
【００１１】
テンキー領域２の下方には、スクロールキー３が設けられている。このスクロールキー３は、略中央に突起部３ａを有し、この突起部３ａを上下左右に押し動かすことにより、後述のディスプレイ部に表示した情報をスクロールしたり、反転表示等の強調表示を移動したり、文字等の入力位置を移動したりできるようになっている。さらに、スクロールキー３は、プッシュスイッチを兼ねており、突起部３ａを押し込むことにより、確定・実行操作を行うことができる。スクロールスイッチ１２は、例えば、フローティングスイッチ、ジョイスティック、トラックボール、トラックパッドのような少なくとも一方向、好ましくは複数方向にスクロール等が可能なものであれば特に限定されない。
【００１２】
スクロールキー３の下方には、マイク部４が設けられている。マイク部４は、音声が第１筐体１に内蔵されたマイクに届くように孔で構成されている。
【００１３】
テンキー領域２の上方には、ボールジョイント５を介して、第１筐体１のキー領域２を覆う蓋部を構成する第２筐体６が接続されている。
【００１４】
この第２の筐体６の下端縁部は、わずかに曲線状になっている。また、第２筐体６の表面（以下、「表示面」という）６ａには、矩形形状を有するディスプレイ部７が設けられている。ディスプレイ部７は、相手先氏名、電話番号等の情報を表示する。
【００１５】
このディスプレイ部７の上方には、スピーカ部８が設けられている。このスピーカ部８は、第２筐体６に内蔵されたスピーカの音声を出力する開口で構成されており、凹部形状を有している。
【００１６】
上記ボールジョイント５は、以下の構成からなる。第１筐体１のテンキー領域２の上方であってその幅方向略中央部に、ボール５ａが一部埋没して固定されている。このボール５ａを包むように収容する受け部５ｂが、第２筐体６の下端部の幅方向略中央に設けられている。
【００１７】
以上のような構成からなる携帯型無線通信装置１０によれば、上記ボールジョイント５により、第１の筐体１及び第２の筐体６は開閉自在に接続されている。また、第１の筐体１及び第２の筐体６は、開いた状態で相対的に回転自在である。さらに、第２の筐体６を裏返して閉じることができる。
【００１８】
すなわち、図３及び図４に示すように、第１の筐体１及び第２の筐体６は、第２筐体２の表示面６ａを内側にし、この表示面６ａの反対側の表面（以下、「非表示面」という）６ｂを外側にして閉じている。以下、このような状態を第１の姿勢という。このとき、テンキー領域２は、第２の筐体２により覆われている。
【００１９】
この第１の姿勢より、図５に示すように、第１の筐体１及び第２の筐体６をボールジョイント５を支点として展開することができる。これにより、テンキー領域２及びディスプレイ７が外部に露出する。
【００２０】
図６に示すように、このように第１及び第２の筐体６を開いた状態で、第２の筐体６を、ボールジョイント５を支点として第１の筐体１に対して相対的に回転することができる。上記実施の形態１に係る携帯型無線通信装置１０では、第２の筐体６は、少なくとも裏返せるほど、言い換えれば少なくとも１８０度回転できれば良い。
【００２１】
第２の筐体６を、図５に示す展開状態を基準として１８０度回転させ、第１の筐体１及び第２の筐体６を閉じると、図７及び図８に示すように、第２筐体２の表示面６ａが外側になり、非表示面６ｂが内側になる。以下、このような状態を第２の姿勢という。これにより、表示面６ａに設けたディスプレイ７が外部に露出したまま、第１の筐体１及び第２の筐体６を折りたたむことができる。このとき、テンキー領域２は、第２の筐体２により覆われている。
【００２２】
なお、スクロールキー３はテンキー領域２の外に設けられているので、第１の姿勢、展開時及び第２の姿勢のいずれにおいても外部に露出している。
【００２３】
上記実施の形態１の携帯型無線通信装置１０は、非通話時及び通話時等に適した姿勢をとることができる。すなわち、非通話時には、図３及び図４に示すように、第１の筐体１及び第２の筐体６は第１の姿勢とする。この場合には、第１の筐体１及び第２の筐体６は、表示面６ａを内側にして折りたたまれているので、ディスプレイ部７を保護できる。また、第２の筐体６でテンキー領域２が覆われているのでテンキーの誤動作を防止できる。
【００２４】
通話時には、図５に示すように、第１の筐体１及び第２の筐体を展開して、テンキー領域２及びディスプレイ７を外部に露出させて使用する。
【００２５】
一方、非通話時であるが、ディスプレイ７に表示された情報を閲覧したり、スクロールキー３で操作する場合には、図７及び図８に示すように、第１の筐体１及び第２の筐体６は第２の姿勢とする。この場合、第２の筐体６の表示面６ａを外側にして折りたたまれているので、ディスプレイ７は外部に露出している。これにより、第１の筐体１及び第２の筐体６を閉じたまま表示情報を閲覧したり、スクロールキー３で操作することができる。従って、上記実施の形態１の携帯型無線通信装置１０は、ディスプレイ７を外部に表示させた状態で携帯し、第１の筐体１及び第２の筐体７を展開することなく、ディスプレイ７を素早く閲覧及び操作することができる。この結果、携帯型無線通信装置１０に、スケジュール機能、メモ機能、インターネットブラウズ機能、簡易メール機能及び電子メール機能を持たせた場合に、非通話時に素早くこれらの機能を用いて必要な情報を得ることができる。
【００２６】
また、第２の筐体６でテンキー領域２が覆われているのでテンキーの誤動作を防止できる。
【００２７】
さらに、上述のとおり、スクロールキー３が、第１の筐体１及び第２の筐体６がいかなる状態においても外部に露出しているので、通話時及び非通話時でディスプレイ７を閲覧及び操作するときのいずれにおいてもスクロールキー３を使用できる。
【００２８】
なお、上記実施の形態１では、第１の筐体１のテンキー領域２は、第２の筐体６の表面形状にあわせて窪んだ形状をなしている。また、第２の筐体６の表面形状は、表裏面で対象な形状をなしている。これにより、第１の筐体１及び第２の筐体６を折りたたんで閉じた場合、図４及び図８に示すように、側面から見ると第１の筐体及び第２の筐体６の全体で略流線形の外形をなす。第２の筐体６を、表示面６ａ及び非表示面６ｂのいずれを上側にして閉じた場合にも、同じように流線形の外形をなす。このため、非使用時の美感及び携帯性に優れている。
【００２９】
上記実施の形態１では、第１の筐体１及び第２の筐体６を接続する接続部として、ボールジョイント５を使用した場合について説明したが、特に限定されるものではなく、第１の筐体１及び第２の筐体６を開閉自在に接続し、かつ、開いた状態で相対的に回転自在であると共に、第２の筐体６を裏返して閉じ得るように支持するヒンジ部であれば良い。言い換えれば、第１の筐体１及び第２の筐体６を開閉自在に接続し、ディスプレイ７を有する第２の筐体６が第１の筐体１に対してディスプレイ７を向けて閉じた第１の姿勢、及び、第２の筐体６が外側にディスプレイ７を向けて閉じた第２の姿勢をとるように接続する接続部であれば良い。
【００３０】
また、第１の筐体１に、ディスプレイ１とは別のサブディスプレイを設けても良い。このサブディスプレイは、第２の姿勢では、第２の筐体６により覆われるような位置、例えばキー領域２に設けても良い。
【図面の簡単な説明】
【００３１】
【図１】本発明の一実施の形態における携帯型無線通信装置の開いた状態の平面図
【図２】上記実施の形態における携帯型無線通信装置の開いた状態の側面図
【図３】上記実施の形態における携帯型無線通信装置の閉じた状態の平面図
【図４】上記実施の形態における携帯型無線通信装置の閉じた状態の側面図
【図５】上記実施の形態における携帯型無線通信装置の開いた状態の斜視図
【図６】上記実施の形態における携帯型無線通信装置の第２の筐体を９０度回転した状態の斜視図
【図７】上記実施の形態における携帯型無線通信装置の表示面を外側にして閉じた状態の平面図
【図８】上記実施の形態における携帯型無線通信装置の表示面を外側にして閉じた状態の側面図
【符号の説明】
【００３２】
１  第１筐体
３  スクロールキー
５  ボールジョイント
６  第２筐体
７  ディスプレイ
【図１】
2007014024.tif 000003
【図２】
2007014024.tif 000004
【図３】
2007014024.tif 000005
【図４】
2007014024.tif 000006
【図５】
2007014024.tif 000007
【図６】
2007014024.tif 000008
【図７】
2007014024.tif 000009
【図８】
2007014024.tif 000010